(57)【特許請求の範囲】
【請求項１】
埋設された暗渠排水管上にある浸透層を掘り出す浸透層掘出手段を備えた車両から成り、
暗渠排水管の上面と共働して、車両が常に埋設された暗渠排水管の上方を走行するように車両の走行レバーを操作する車両案内手段を備え、
埋設された暗渠排水管の上方を走行しながら浸透層を掘り出していくことができるように構成した
ことを特徴とする埋設済みの暗渠排水管の浸透層掘出装置。
【請求項２】
前記車両案内手段が、暗渠排水管の上面を感知する感知センサを備え、
該感知センサからの出力に基づいて前記浸透層掘出手段が暗渠排水管に接触しないように浸透層掘出手段の高さを制御する
ことを特徴とする請求項１に記載の埋設済みの暗渠排水管の浸透層掘出装置。
【請求項３】
埋設された暗渠排水管上にある浸透層を掘り出す浸透層掘出手段と、
埋設された暗渠排水管の側面及び底面をガイドしながら暗渠排水管を地上に取り出すための排水管取出ガイドと
を備えた車両から成り、
暗渠排水管の上面と共働して、車両が常に埋設された暗渠排水管の上方を走行するように車両の走行レバーを操作する車両案内手段を備え、
埋設された暗渠排水管の上方を走行しながら、浸透層を掘り出して、前記排水管取出ガイドで埋設された暗渠排水管を次々に地上に取り出していくことができるように構成した
ことを特徴とする暗渠排水管掘出装置。
【発明の詳細な説明】
【０００１】
【発明の属する技術分野】
本発明は、既に土中に埋設されている暗渠排水管上の浸透層を掘出ための装置及び前記浸透層を掘出しながら暗渠排水管そのものも取り出していく装置に関する。
【０００２】
【従来の技術】
田畑の稲や農作物を育成するために地中の水分を調節することは重要な作業である。このため、農家では、暗渠排水管を土中に埋設し田畑の地中水分を暗渠排水管を通して排水することができるようにすることで地中の水分量の調節を図っている。
【０００３】
【発明が解決しようとする課題】
上記した暗渠排水管を用いる場合、地中の水分を効率よく暗渠排水管に流し込むために暗渠排水管上に水の浸透率が良い浸透層を形成する必要がある。
従来は、暗渠排水管の上に籾殻を入れることで浸透層を形成していたが、長い年月が経過すると浸透層を形成している籾殻が腐食して浸透率が著しく低下し、十分な排水を行うことができなくなるという問題が生じてくる。
また、浸透層の問題だけではなく、暗渠排水管自体も長い年月が経過すると腐食したり目詰まりしたりする等して排水効率を悪化させる。
上記した問題を解決するために、埋設してから一定期間経過した暗渠排水管は、浸透層の入れ替えのために浸透層を掘出したり、浸透層と共に暗渠排水管そのものも取り出して、暗渠排水管を交換したりすることが必要になるが、これらの作業を効率よく行うことができる装置がない。
上記した問題を解決するために本発明は、既に土中に埋設されている暗渠排水管上の浸透層を掘出ための装置及び前記浸透層を掘出しながら暗渠排水管そのものも取り出していく装置を提供することを目的としている。
【０００４】
【課題を解決するための手段】
上記した目的を達成するために、本発明に係る埋設済みの暗渠排水管の浸透層掘出装置は、埋設された暗渠排水管上にある浸透層を掘り出す浸透層掘出手段を備えた車両から成り、暗渠排水管の上面と共働して、車両が常に埋設された暗渠排水管の上方を走行するように車両の走行レバーを操作する車両案内手段を備え、埋設された暗渠排水管の上方を走行しながら浸透層を掘り出していくことができるように構成したことを特徴とする。
また、本発明に係る暗渠排水管掘出装置は、  埋設された暗渠排水管上にある浸透層を掘り出す浸透層掘出手段と、埋設された暗渠排水管の側面及び底面をガイドしながら暗渠排水管を地上に取り出すための排水管取出ガイドとを備えた車両から成り、暗渠排水管の上面と共働して、車両が常に埋設された暗渠排水管の上方を走行するように車両の走行レバーを操作する車両案内手段を備え、埋設された暗渠排水管の上方を走行しながら、浸透層を掘り出して、前記排水管取出ガイドで埋設された暗渠排水管を次々に地上に取り出していくことができるように構成したことを特徴とするものである。
【０００５】
【発明の実施の形態】
以下、添付図面に示した実施例を参照しながら本発明に係る埋設済みの暗渠排水管の浸透層掘出装置及び暗渠排水管掘出装置の実施の形態について説明していく。
【０００６】
図１及び図２は本発明に係る埋設済みの暗渠排水管の浸透層掘出装置（以下、単に浸透層掘出装置）の概略側面図を各々示している。
図中符号１は、本発明に係る浸透層掘出装置を構成している車両を示している。この車両１は左右に倒すことで車両の走行方向を変えることができる走行レバー２を備えている。
この車両１は、その後部にバケット式の浸透層掘出手段１０と、車両案内手段２０を備えている。
【０００７】
前記浸透層掘出手段１０は、上下のスプロケット（符号なし）とスプロケット間に巻回された無端チェーン１１とを備えている。前記無端チェーン１１に複数の自動跳上バスケット１２が取り付けられている。そして、不図示のエンジンでチェーン１１を回転駆動させることによりバケット１２で、埋設された暗渠排水管Ｔの上の浸透層Ｓを形成している籾殻等を掘り出す。
上記したように構成された浸透層掘出手段１０は、車両１に昇降腕１４により車両に取り付けられ、昇降シリンダ１５を介して上下に昇降可能にされている。図１は浸透層掘出手段１０を下げて土中に入れている状態を示し、図２は浸透層掘出手段１０を上げている状態を示している。
【０００８】
車両案内手段２０は、案内バー２１と、案内バー２１の上部に設けられたギヤ２２と、ギヤ２２によって上下に動かされる左右の操作腕２３及び２４と、各操作腕２３及び２４と、走行レバー２とを連結するワイヤ２５及び２６を備えている。
図３は、車両案内手段２０を車両の後方から見た概略図であり、図４は、車両案内手段２０の上部の拡大図である。
前記案内バー２１は、その上端に歯車部２１ａを備え、その下端は暗渠排水管Ｔの上部を覆い、車両１の走行に伴って暗渠排水管Ｔに沿って移動するように構成されている。また、案内バー２１は軸２１ｂを中心に回動可能に支持されている。
案内バー２１の上端の歯車部２１ａはギヤ２２と噛合している。
左右の操作腕２３及び２４は前記ギヤ２２と各々噛合しており、ギヤ２２が左側に回転すると左側の操作腕２３が下方に下がり、右側の操作腕２４が上方に上がる。逆にギヤ２２が右側に回転すると左側の操作腕２３が上方に上がり、右側の操作腕２４が下方に下がる。
操作腕２３及び２４は、ワイヤ２５及び２６を介して走行レバー２に連結されており、左側の操作腕２３が下方に下がり、右側の操作腕２４が上方に上がると走行レバー２が左側に倒され、車両の進行方向が左側に向く。逆に左側の操作腕２３が上方に上がり、右側の操作腕２４が下方に下がると走行レバー２が右側に倒され、車両の進行方向が右側に向く。
使用時には、車両案内手段２０の案内バー２１が取り出すべき暗渠排水管Ｔに対して垂直になるように車両１を位置決めした後、車両１を埋設された暗渠排水管Ｔの真上を通るように走行させる。
この状態で、例えば、走行中に車両１が暗渠排水管Ｔから右側にずれると、案内バー２１は、軸２１ｂを中心に右側に回動して右側に倒れ、歯車部２１ａを介してギヤ２２を左側に回転させる。その結果、左側の操作腕２３が下方に下げられ、右側の操作腕２４が上方に上げられ、走行レバー２は左側に倒される。これにより、車両１は左側、即ち、暗渠排水管Ｔの真上に戻る方向に進行方向を変える。車両１が暗渠排水管Ｔの真上に戻ると、案内バー２０も垂直に戻る。案内バー２０が垂直に戻る時に、ギヤ２２は右側に回転されるので、左側の操作腕２３が上方に上げられ、右側の操作腕２４は下方に下げられ、結果として、走行レバー２は右側に戻され、垂直に戻る。
この構成により、車両１が暗渠排水管からずれると車両案内手段２０により自動的に軌道修正がなされるので、車両１は、常に暗渠排水管Ｔの真上を走行するようになる。
また、前記車両案内手段２０における案内バー２１の下端には感知センサ２１ｃが設けられており、この感知センサ２１ｃにより暗渠排水管の位置を感知し、昇降シリンダ１５を介して前記浸透層掘出手段１０の高さを制御することができるように構成されている。
【０００９】
上記した埋設済みの暗渠排水管の浸透層掘出装置で籾殻等で形成された旧い浸透層を掘り出した後は、暗渠排水管上に表面を加熱処理した発泡スチロールから成る粒状体を入れて再度、浸透層を形成するのが好ましい。表面を加熱した発泡スチロールは籾殻等のように腐食することがないので、発泡スチロールで浸透層を形成することにより半永久的に浸透層の入れ替えの必要がなくなる。
【００１０】
次に、図５及び図６を参照しながら、本発明に係る暗渠排水管掘出装置について説明する。
図中符号１は、本発明に係る暗渠排水管掘出装置を構成している車両を示している。この車両１は左右に倒すことで車両の走行方向を変えることができる走行レバー２を備えている。
この車両１は、その後部にバケット式の浸透層掘出手段１０と、車両案内手段２０を備えている。
また、車両１における前記掘出手段１０及び案内手段２０のさらに後方には排水管取出ガイド３０が設けられている。
前記浸透層掘出手段１０及び車両案内手段２０の構成は図１〜図４を参照して説明した浸透層掘出装置の各手段と同じ構成なので、各部に同じ符号を付して、ここでは詳細な説明は省略する。
【００１１】
排水管取出ガイド３０は、掘出手段１０及び案内手段２０のさらに後方に設けられ、油圧シリンダ３１を介してガイド３２を上下に昇降可能に支持している。図５はガイド３２が下げられている状態を示し、図６はガイド３２が上げられている状態を示している。
前記ガイド３２は、暗渠排水管の側面及び下面を両サイドから挟み込むようにガイドし、車両１の走行に伴って、浸透層が掘り出された後の暗渠排水管Ｔが地上に出てくるように暗渠排水管Ｔを案内する。
【００１２】
上記した暗渠排水管掘出装置で籾殻等で形成された旧い浸透層を掘り出し、かつ、排水管を取り出した後は、図７に示すように、始めに、表面を加熱処理した発泡スチロールの粒状体を溝Mの中に入れ、その上に、排水管Tを敷設した後、排水管Ｔの上に表面を加熱処理した発泡スチロールの粒状体を入れて再度、浸透層を形成するのが好ましい。このように、排水管Ｔの下にも発泡スチロールの粒状体を入れておくことにより、排水管Ｔの内部に溜まった土や塵等を下方に排出することができるようになるので、長期間使用しても排水管内に土や塵等が溜まることがないという効果を奏する。
【００１３】
【発明の効果】
以上説明したように、本発明に係る埋設済みの暗渠排水管の浸透層掘出装置は、埋設された暗渠排水管上にある浸透層を掘り出す浸透層掘出手段を備えた車両から成り、暗渠排水管の上面と共働して、車両が常に埋設された暗渠排水管の上方を走行するように車両の走行レバーを操作する車両案内手段を備え、埋設された暗渠排水管の上方を走行しながら浸透層を掘り出していくことができるように構成しているので、暗渠排水管の真上を通るように車両を走行させるだけで、自動的に浸透層を掘り出すことができ、また、車両の軌道が暗渠排水管の真上からずれた場合でも、自動的に車両の軌道を修正して、常に暗渠排水管の真上を走行させることができ、浸透層の掘出しを簡単に効率よく行うことが可能になる。また、本発明に係る暗渠排水管掘出装置は、埋設された暗渠排水管上にある浸透層を掘り出す浸透層掘出手段と、埋設された暗渠排水管の側面及び底面をガイドしながら暗渠排水管を地上に取り出すための排水管取出ガイドとを備えた車両から成り、暗渠排水管の上面と共働して、車両が常に埋設された暗渠排水管の上方を走行するように車両の走行レバーを操作する車両案内手段を備え、埋設された暗渠排水管の上方を走行しながら、浸透層を掘り出して、前記排水管取出ガイドで埋設された暗渠排水管を次々に地上に取り出していくことができるように構成されているので、暗渠排水管の真上を通るように車両を走行させるだけで、自動的に浸透層を掘り出して、埋設された暗渠排水管を取り出すことができ、また、車両の軌道が暗渠排水管の真上からずれた場合でも、自動的に車両の軌道を修正して、常に暗渠排水管の真上を走行させることができる。
これにより、既に埋設されている暗渠排水管の浸透層の掘り出し及び暗渠排水管の取出しを容易に効率よく行うことができるようになる。
【図面の簡単な説明】
【図１】  本発明に係る埋設済みの暗渠排水管の浸透層掘出装置の概略側面図である。
【図２】  本発明に係る埋設済みの暗渠排水管の浸透層掘出装置の概略側面図である。
【図３】  車両案内手段２０を車両の後方から見た概略図である。
【図４】  車両案内手段２０の上部の拡大図である。
【図５】  本発明に係る暗渠排水管掘出装置の概略側面図である。
【図６】  本発明に係る暗渠排水管掘出装置の概略側面図である。
【図７】  旧い浸透層及び暗渠排水管を取り出した後、再度、暗渠排水管を敷設して浸透層を形成する方法を示す図である。
【符号の説明】
１    車両
２    走行レバー
１０  浸透層掘出手段
１１  無端チェーン
１２  自動跳上バスケット
１４  昇降腕
１５  昇降シリンダ
２０  車両案内手段
２１  案内バー
２１ａ  歯車部
２１ｂ  軸
２１ｃ  感知センサ
２２  ギヤ
２３  操作腕
２４  操作腕
２５  ワイヤ
２６  ワイヤ
３０  排水管取出ガイド
３１  油圧シリンダ
３２  ガイド
Ｓ    浸透層
Ｔ    暗渠排水管
Ｍ    溝
【図１】
0003878883.tif 000002
【図２】
0003878883.tif 000003
【図３】
0003878883.tif 000004
【図４】
0003878883.tif 000005
【図５】
0003878883.tif 000006
【図６】
0003878883.tif 000007
【図７】
0003878883.tif 000008